(57)【特許請求の範囲】
【請求項１】
分岐配線における複数の電線の先端相互を結束して成る結線束を絶縁カバーする為のジョイントボックスであって、
結線束の周囲に位置させ、内側には結線束存置空間を構成する筒状の周壁部材と、
結線束の頭部側に位置させる端面部材と、
上記周壁部材で囲まれる結線束存置空間に上記結線束を端面部材の方向に向けて挿入する為の開口部を備え、
上記開口部から上記存置空間に挿入される結線束の大きさに対応させて上記開口部の縁部と端面部材との間を手で押し引きすると軸心方向に向けての伸縮が可能となるように、上記筒状の周壁部材は蛇腹状に構成してあり、
上記蛇腹状の筒体の構成は、
夫々弾力性のある材料で形成されている複数の垂れ勾配環状板と裏勾配環状板とを備え、
それらの垂れ勾配環状板と裏勾配環状板とは、
垂れ勾配環状板と裏勾配環状板とが軸心方向に向けて同心状態で交互に重合され、かつ、
隣接する垂れ勾配環状板と裏勾配環状板との外径縁が折り曲げ自在に連結され、
隣接する垂れ勾配環状板と裏勾配環状板との内径縁が折り曲げ自在に連結されて蛇腹状の筒体は構成され、
それら蛇腹状の筒体を構成する複数の垂れ勾配環状板と裏勾配環状板とは、軸心方向に加圧することにより少なくとも１カ所以上において
１つの垂れ勾配環状板（又は裏勾配環状板）の外径縁が死点を越えて折れ曲がり、隣接する裏勾配環状板（又は垂れ勾配環状板）に対してセルフロックの状態で添えつくことにより折り畳み状態となり、軸心方向の寸法が縮小された状態で維持されるようにしてあることを特徴とする伸縮自在のジョイントボックス。
【発明の詳細な説明】
【技術分野】
【０００１】
本発明は、複数の電線相互を接続した場合に造られる結線束を保護する為の筒状のジョイントボックスに関し、詳しくは、筒心方向に伸縮変形できるようにしてあるジョイントボックスに関する。
【背景技術】
【０００２】
従来より、分岐配線における複数の電線の先端相互を結束して成る結線束を絶縁カバーする為のジョイントボックスは、広く知られている（特許文献１参照）。
このジョイントボックスは、結線束の周囲に位置させ、内側には結線束存置空間を構成する周壁部材と、結線束の頭部側に位置させる後方の端面部材と、周壁部材で囲まれる結線束存置空間に結線束を端面部材の方向に向けて挿入する為の開口部を備えている。さらに上記周壁部材は、結線束の周囲に位置させる周壁部材と上記前方の開口部とを備える前半ボックス要素（第１ボックス要素ともいう）と、結線束の周囲に位置させる周壁部材と結線束の頭部側に位置させる端面部材とを備える後半ボックス要素（第２ボックス要素ともいう）との２部材から構成されている。これらのボックス要素は、上記両者の周壁部材を同心的な二重筒状に組み合わせて一体のジョイントボックスと成し、上記開口部から上記存置空間に挿入される結線束の大きさに対応させて上記開口部の縁部と端面部材との間の長さを伸縮させて上記存置空間の長さを結線束の大きさに対応させて調整し得るように、上記両周壁部材の二重筒状部は手で押し引きすると軸心方向に向けての伸縮が可能となるように相互に接触させてある。
【０００３】
【特許文献１】特許第３７６５８４２号公報
【発明の開示】
【発明が解決しようとする課題】
【０００４】
この従来のジョイントボックスでは、第１ボックス要素と第２ボックス要素の２部材で構成されているので、第１ボックス要素と第２ボックス要素の２部材を夫々成型した後、両者を適切に組み合わせる作業が必要となり、人手が嵩み、コストが高まる問題点があった。
【０００５】
本件出願の目的は、結線束に被せて絶縁カバーできるのは勿論、内側の存置空間の長さを伸縮調整して、大嵩な結線束でも小嵩な結線束に対してでも、一種類のジョイントボックスで対応して被せることができる伸縮自在のジョイントボックスを提供しようとするものである。
他の目的は、内側の存置空間の長さを伸縮調整して、大嵩な結線束でも小嵩な結線束に対してでも、一種類のジョイントボックスで対応できるように構成したものであっても、成形にあたっては１つのジョイントボックスとして成形できるようにした伸縮自在のジョイントボックスを提供しようとするものである。
他の目的及び利点は図面及びそれに関連した以下の説明により容易に明らかになるであろう。
【課題を解決するための手段】
【０００６】
本発明におけるジョイントボックスは、分岐配線における複数の電線１１の先端相互を結束して成る結線束１３を絶縁カバーする為のジョイントボックス１であって、結線束１３の周囲に位置させ、内側には結線束存置空間５を構成する筒状の周壁部材２と、結線束１３の頭部側に位置させる端面部材３と、上記周壁部材２で囲まれる結線束存置空間５に上記結線束１３を端面部材の方向に向けて挿入する為の開口部４を備え、上記開口部４から上記存置空間５に挿入される結線束１３の大きさに対応させて上記開口部の縁部4bと端面部材３との間を手で押し引きすると軸心方向に向けての伸縮が可能となるように、上記筒状の周壁部材３は蛇腹状に構成してある。
【０００７】
上記蛇腹状の筒体２の構成は、夫々弾力性のある材料で形成されている複数の垂れ勾配環状板21aと裏勾配環状板21bとを備え、それらの垂れ勾配環状板21aと裏勾配環状板21bとは、垂れ勾配環状板21aと裏勾配環状板21bとが軸心方向に向けて同心状態で交互に重合され、かつ、隣接する垂れ勾配環状板21aと裏勾配環状板21bとの外径縁22aが折り曲げ自在に連結され、隣接する垂れ勾配環状板21aと裏勾配環状板21bとの内径縁22bが折り曲げ自在に連結されて蛇腹状の筒体２は構成され、それら蛇腹状の筒体２を構成する複数の垂れ勾配環状板21aと裏勾配環状板21bとは、軸心方向に加圧することにより少なくとも１カ所以上において、１つの垂れ勾配環状板21a（又は裏勾配環状板21b）の外径縁22aが死点を越えて折れ曲がり、隣接する裏勾配環状板21b（又は垂れ勾配環状板21a）に対してセルフロックの状態で添えつくことにより折り畳み状態となり、軸心方向の寸法が縮小された状態で維持されるようにしてある。
【発明の効果】
【０００８】
以上のように本発明は、筒状の周壁部材は蛇腹状に構成してあるので、結線束の大きさに対応させて開口部の縁部と端面部材との間の長さを手で押し引きすると軸心方向に向けて伸縮して、大きな結線束に対してでも、また小さな結線束に対してでも、１つのジョイントボックスで対応できる作業上の至便性がある。
【０００９】
その上、大、小任意の大きさの結線束に対して対応できるようにしたものであっても、成型工程においては全体を一工程で成形できるので、製造コストを安くすることのできる効果もある。
更に、このように全体を一工程で成形できるので、ジョイントボックスに接続部がなく、全体の防滴効果が優れており、結線束の絶縁保護に優れた効果を発揮することもできる。
【００１０】
更に大、小任意の大きさの結線束に対して対応させるために、ジョイントボックスの胴部を縮めた場合、縮めた状態を維持させ、ジョイントボックスの大きさ形状を固定するようにすることもできるので、ジョイントボックスが不用意に大きくなったり、小さくなったりすることを防止できる利用上の効果もある。
【発明を実施するための最良の形態】
【００１１】
以下本発明の実施の形態を図面を用いて説明する。
図１は、ジョイントボックスの縦断面図を示す。図２における（A）（B）（C）は、順にジョイントボックスを最も縮めた状態と、中間にした状態と、最も大きくした状態を説明する為の１部破断正面図であって、（D）（E）（F）は順に小、中、大の結線束と、夫々の結線束に対して、上記（A）（B）（C）の対応する大きさのジョイントボックスを被せ付けた状態を説明するための正面図。図３は、周壁部材２の蛇腹状に形成された筒状部分2aの異なる例を示すものであり、蛇腹部分2dを伸張させた状態における拡大部分断面図を示す。図４は、図３の蛇腹部分2dを縮小させるために一部の垂れ勾配環状板21aと裏勾配環状板21bとを折り畳んだ状態を説明するための図で、（A）は部分正面図、（B）は一部破断図。図５は必要に応じてジョイントボックスの開口部の内側に備えさせる弁体を説明するための図面で、（A）はジョイントボックスの底面側から見た図、（B）はVーV線断面図。
【００１２】
図示のジョイントボックス１は、
分岐配線における複数の電線１１の先端相互を結束して成る結線束１３を絶縁カバーする為のジョイントボックスであって、結線束１３の周囲に位置させ、内側には結線束存置空間５を構成する筒状の周壁部材２と、結線束１３の頭部側に位置させる端面部材３と、上記周壁部材２で囲まれる結線束存置空間５に上記結線束１３を端面部材の方向に向けて挿入する為の開口部４を備え、上記開口部４から上記存置空間５に挿入される結線束１３の大きさに対応させて上記開口部の縁部4bと端面部材３との間を手で押し引きすると軸心方向に向けての伸縮が可能となるように、上記筒状の周壁部材３は蛇腹状に構成してある。
【００１３】
この点を以下具体的に説明する。
結線束１３を絶縁カバーする為のジョイントボックス１において、２は結線束１３の周囲に位置させる周壁部材を示し、内側には結線束存置空間５が構成される。３は、結線束１３の頭部側に位置させる端面部材、４は周壁部材２で囲まれる結線束存置空間５に対して結線束１３を端面部材３の方向に向けて挿入する為の開口部を示す。ジョイントボックス１は、周知のように合成樹脂材等の弾力を備える絶縁材、例えば塩化ビニ−ルを用いて成形される。
周壁部材２において、2aは蛇腹状に形成された筒状部分で、開口部の縁部4bと端面部材３との間を手で持って押し引きすると軸心７方向に向けての伸縮が可能となるように形成してある。
例えば、筒状部分2aの蛇腹状に形成されている部分の肉厚と、材料の弾力性を適当に選定することにより可塑性を備えさせ、図２におけるＨ２〜Ｈ４ように高さ寸法の伸縮が可能になると共に、その高さ寸法で外形形状を維持できるようにしてある。
【００１４】
3aは蛇腹状2aの部分と端面部材３との連結部分、2bは開口部４の周辺を構成するスカート部材を示し、蛇腹状2aの部分に夫々連結される。６は必要により一体的に付設される造営材固着用の舌片を示す。上記構成のジョイントボックス１は図から明らかなように周知のブロア−成型法により一体成形できるように構成されている。
【００１５】
図において１３は、分岐配線における複数の絶縁被覆電線１１、１１・・１１における夫々の外装絶縁被覆を剥いて内装絶縁被覆が残された電線１５の先端相互をコネクタ１６で結束して成る結線束を示す。１０は周知の造営材（例えば家屋、駅舎、タワー等の建造物を含む）を示し、複数の絶縁被覆電線１１はこれらに止具１２を用いて図示のように配設されている。
【００１６】
次に上記蛇腹状の筒体２における異なる構成は、
夫々弾力性のある材料で形成されている複数の垂れ勾配環状板21aと裏勾配環状板21bとを備え、それらの垂れ勾配環状板21aと裏勾配環状板21bとは、垂れ勾配環状板21aと裏勾配環状板21bとが軸心方向に向けて同心状態で交互に重合され、かつ、隣接する垂れ勾配環状板21aと裏勾配環状板21bとの外径縁22aが折り曲げ自在に連結され、隣接する垂れ勾配環状板21aと裏勾配環状板21bとの内径縁22bが折り曲げ自在に連結されて蛇腹状の筒体２は構成され、それら蛇腹状の筒体２を構成する複数の垂れ勾配環状板21aと裏勾配環状板21bとは、軸心方向に加圧することにより少なくとも１カ所以上において１つの垂れ勾配環状板21a（又は裏勾配環状板21b）の外径縁22aが死点を越えて折れ曲がり、隣接する裏勾配環状板21b（又は垂れ勾配環状板21a）に対してセルフロックの状態で添えつくことにより折り畳み状態となり、軸心方向の寸法が縮小された状態で維持されるようにしてある。
【００１７】
この点を以下具体的に説明する。図３、図４に表れている筒体２の蛇腹状の部分2dにおいてにおいて、21aと、21bは、夫々図１における端面部材３を上側として見た場合、斜め上方から見れる垂れ勾配の環状板と、斜め上方からは陰になって見れない裏勾配の環状板とを示す。これらの垂れ勾配環状板21aと、裏勾配環状板21bとは図面から明らかなように交互に連結して筒体２の蛇腹状の部分2dを構成している。22a と、22bとは、垂れ勾配環状板21aと、裏勾配環状板21bとを夫々折れ曲がり自在に連結した折り目部分を示し、外周折り目と、内周折り目を示す（P1・P2・P3は夫々折れ曲がりポイントを示す）。これら筒体２の蛇腹状の部分2dを含むジョイントボックス１の全体は、合成樹脂材で形成されるのであるが、比較的硬質樹脂材料で形成される。
即ち、図3の伸張状態Ｈ５から、図4の折り畳み状態Ｈ６に移行する場合、更にはその逆に移行する場合、図示のように外周折り目22aと、内周折り目22bとは夫々折り畳み自在になるが、垂れ勾配環状板21aと、裏勾配環状板21bとは弾力的には撓むが、塑性的には曲がらないような厚みにしてある。
【００１８】
図３、図４に表れている筒体２の蛇腹状の部分2dに係わる全体を表す図を描くと、図１、図２に描いたジョイントボックス１と同様になる。しかし、蛇腹状の部分2dにおいては、その１部、または全域の蛇腹状部の全部を符号Ｈ６で示すように折り畳むことができる。さらに折り畳んだ状態では、図４に表れている折り畳み部分Ｈ６の状態から明らかなように夫々（多数）の折り畳み部分Ｈ６は夫々セルフロックの状態（図4の折り畳み状態で固定され、大きな引き延ばし方向の力が加えられないと図3のように伸張しない状態）に折り畳まれる。
【００１９】
図１に示される構成のものを用いて、結線束１３に対して被せる作業について説明する。例えば中嵩な結線束（例えば図２（Ｅ）に示される結線束１３ｂ）に対して被せる場合は、次の通りである。
作業者は、高所にある造営材に梯子をかけて結線束１３ｂに対する作業ができる高さまで上る。次に、縮小状態（図２（Ａ）の状態）にあるジョイントボックス１の結線束存置空間５の大きさを中嵩な結線束13bに対応する大きさに引き延ばして調整する。次に図２（Ｅ）に示されるように結線束１３ｂにジョイントボックス1bを被せる。必要に応じて止め片６を利用して造営材に釘止めする。
以上のような要領で、結線束１３の大小（1a、1b、1c）に係わらず、１種類のジョイントボックス１の大きさを対応伸縮させていずれの結線束１３にでも被せ付ける（例えば大嵩な結線束13a、中嵩な結線束13b又は小嵩な結線束13ｃに対しては、夫々図２に表れているようにジョイントボックス１を、対応させて大嵩１aにし、あるいは中嵩１ｂにし、又は小嵩1cにして被せ付ける）。
【００２０】
更に図１に示されるジョイントボックス１の筒体２の蛇腹状の部分2dが図３、図４に表れているように構成されている場合は、上記現場における作業において作業者がジョイントボックス１の大きさを、対応する結線束１３の大小に対応するように引き延ばした場合、ジョイントボックス１の外形形状は、作業者が設定した大きさを維持し、結線束１３に対する被せ付け作業が極めて容易になる。
即ち、筒体２の蛇腹状の部分2dの折畳部Ｈ６と、伸張部Ｈ５とは明確に区分された状態でその形状を維持する特長がある。繰り返すと折畳部Ｈ６は前述したようにセルフロックされた状態となっているからである。
【００２１】
この点を次に説明する。図３、図４において伸張部Ｈ５の軸心方向に圧縮力２６が加わると複数の外周折り目22aと、複数の内周折り目22bの夫々に対しては隣接の折り目に相互に近付く方向に力が掛かる。斯かる場合、垂れ勾配環状板21aと、裏勾配環状板21bとの板状部分が夫々弾力的には撓むが、塑性的には曲がらない状態にあると、図３の折れ曲がりポイントP1とP2、P2とP3の間には夫々内向きの圧縮力が加わる。この状態で複数の内周折り目22bの相互が接近すると、やがて垂れ勾配環状板21aと、裏勾配環状板21bとの軸心７に対する方向（角度）は、直行する方向２５になる（垂れ勾配環状板21aと、裏勾配環状板21bの両方、又はその内の一方が軸心７に対して直行する方向２５に至った場合は、力学的には丁度「死点」に至ったことになる）。従って一方の環状板がこの死点を越えた場合は、反力の方向が逆になり、瞬間的に垂れ勾配環状板21aと、裏勾配環状板21bとのいずれかの一方が他方に向けて急激に移動し、図４の折畳部Ｈ６に示されるように折り畳み状態になる。
【００２２】
この折り畳み状態になった場合、垂れ勾配環状板21aと、裏勾配環状板21bとは上記のように大きな力が加えられることによって死点を超えたのであるから逆向きの大きな力が加えられないかぎり元に戻る（伸張部Ｈ５の状態）ことはない。なお上記垂れ勾配環状板21aと、裏勾配環状板21bとの外形寸法の大きさが、いずれか一方が小さいと両者の傾斜角が相違することになり、上記の伸張部Ｈ５の状態を折畳部Ｈ６の状態にする場合、死点を越えるために必要とする操作力を比較的小さくすることができる。
【００２３】
次に３０は、図１に示されるジョイントボックス１のスカート部2bに内側面2dの内側（二点鎖線で示す位置）に対して必要に応じて付設具備させる合成樹脂製の弁体を示す。この弁体３０は、ジョイントボックス１のスカート部2bに内側面2dに対してリング体３１の外周面を接合させることによってジョイントボックス１に一体化させる。リング体３１の内側にあっては特許文献１に開示されている弁体の場合と同様の機能を備えさせるために、弾力性を備える多数の弁片３２を図示のように備えさせてある。３３は各弁片３２とリング体３１との連結部、３４は抜き孔、３５は軸心方向に向けて弾力的に可動する自由端、３６は結線束１３に係合させるための掛かり合い爪を示す。
【図面の簡単な説明】
【００２４】
【図１】ジョイントボックスの縦断面図。
【図２】（A）（B）（C）は、順にジョイントボックスを最も縮めた状態と、中間にした状態と、最も大きくした状態を説明する為の１部破断正面図。（D）（E）（F）は順に小、中、大の結線束と、夫々の結線束に対して、上記（A）（B）（C）のジョイントボックスを被せ付けた状態を説明するための正面図。
【図３】図１における周壁部材２の蛇腹状に形成された筒状部分2aの異なる例を示すもので、蛇腹部分2dを伸張させた状態における拡大部分断面図。
【図４】図３の蛇腹部分2dを縮小させる場合に、一部の垂れ勾配環状板21aと裏勾配環状板21bとを折り畳んだ状態を説明するための図で、（A）は正面図、（B）は一部破断図。
【図５】ジョイントボックスの開口部の内側に備えさせる弁体を説明するための図面で、（A）は図１のジョイントボックスの下側から見た図、（B）はVーV線断面図。
【符号の説明】
【００２５】
１・・・ジョイントボックス、
２・・・周壁部材（蛇腹状・筒状）
３・・・端面部材、
４・・・開口部、
５・・・結線束存置空間、 
１０・・・造営材、                       
１１・・・絶縁被覆電線、
１２・・・止具、
１３・・・結線束、 
１５・・・内装絶縁被覆が残された電線、
１６・・・コネクタ、
21a・・・垂れ勾配環状板
21b・・・裏勾配環状板
22a ・・・ 外周折り目
22b ・・・ 内周折り目
P1・P2・・・折れ曲がりポイント、
23a・・・伸張部
２３b・・・折畳部（セルフロック部）
２５・・・半径方向矢印、
２６・・・軸心方向矢印、
Ｈ５・・・伸張寸法
Ｈ６・・・折り畳み寸法、
３０・・・弁体。
【図１】
0005044308.tif 000002
【図２】
0005044308.tif 000003
【図３】
0005044308.tif 000004
【図４】
0005044308.tif 000005
【図５】
0005044308.tif 000006